(57)【特許請求の範囲】
【請求項１】
前後方向に調節可能な車両シートであって、シートに固定された第１シートレール（２）と、前記第１シートレールをガイドし且つ車両構造体に固定された第２シートレール（３）と、前記第１シートレール（２）を前記第２シートレール（３）内に固定することによってシートの前後位置を解除可能にロックするためのロック装置（４）と、旋回軸（Ｓ）を中心に旋回させることができ且つ前記ロック装置（４）と相互作用する２つ作動端（６）を有するレバー（５）とを両側部に有し、前記作動端（６）の少なくとも一方に多機能部品（８）の部分領域がまたがり、前記多機能部品（８）がステップガードを形成すると共に前記作動部（６）の上方への移動を制限し、その結果、前記レバーの誤操作（５）に対する安全装置を形成し、
前記作動端（６）にまたがる前記部分領域が前記多機能部品（８）のＶ字状屈曲領域（８ｂ）によって形成され、
前記屈曲領域（８ｂ）の角領域が前記第１シートレール（２）を越えて横方向に突出し、
前記作動部（６）の上方への移動を制限するために、前記レバー（５）の前記作動端（６）への湾曲遷移領域が、前記屈曲領域（８ｂ）の前記角領域に衝突する、車両シート。
【請求項２】
前記レバー（５）が前記多機能部品（８）によって形成される軸受ブッシュ（７）内に旋回可能に装着されるか又は前記ブッシュ内に直接収容される、請求項１に記載の車両シート。
【請求項３】
前記レバー（５）の一部が横管であり、前記横管の端部が前記軸受ブッシュ（７）内に収容される、請求項２に記載の車両シート。
【請求項４】
前記軸受ブッシュ（７）が前記多機能部品（８）とは別体に形成され、且つ前記多機能部品（８）に形成されたベアリング開口部（８ｉ）内に確実に収容され、前記ブッシュが車両シート中央縦断面の側から前記ベアリング開口部（８ｉ）に導入される、請求項１から３のいずれか１項に記載の車両シート。
【請求項５】
前記多機能部品（８）が実質的にｚ方向（ｚ）に延びる基体（８ａ）を有し、前記基体（８ａ）が、前記屈曲領域（８ｂ）と、前記屈曲領域（８ｂ）から延びる２つの領域（８ｃ，８ｄ）とを有し、前記２つの領域（８ｃ，８ｄ）が車両シート前後方向（ｘ）に延びる、請求項１から４のいずれか１項に記載の車両シート。
【請求項６】
前記２つの領域（８ｃ，８ｄ）が互いに整列される、請求項５に記載の車両シート。
【請求項７】
前記多機能部品（８）が下側横方向ラグ（８ｊ）を有する基体（８ａ）を有し、前記下側横方向ラグが前記基体（８ａ）から垂直に、ｘｙ平面に延在する、請求項１から６のいずれか１項に記載の車両シート。
【請求項８】
前記多機能部品（８）が上側横方向ラグ（８ｋ）を有する基体（８ａ）を有し、前記上側横方向ラグが前記基体（８ａ）から垂直に、ｘｙ平面に延在する、請求項１から７のいずれか１項に記載の車両シート。
【請求項９】
前記多機能部品（８）が前記屈曲領域（８ｂ）を備える基体（８ａ）を有し、前記屈曲領域（８ｂ）を越えて延び、前記基体（８ａ）から垂直に、ｘｙ平面に延在する下側横方向ラグ（８ｊ）が設けられ、前記下側ラグ（８ｊ）が前記屈曲領域（８ｂ）の一部に中断部を有し、前記中断部がｚ方向に前記基体（８ａ）内に延び、前記レバー（５）の作動端（６）がこの中断部を通って突出し、前記中断部によって形成される前記基体（８ａ）の側面が前記作動端（６）の上方への移動を制限する止め具を形成する、請求項１から８のいずれか１項に記載の車両シート。
【請求項１０】
前記中断部がｚ方向に前記基体（８ａ）の中心まで延びる、請求項９に記載の車両シート。
【請求項１１】
前記多機能部品（８）が前記屈曲領域（８ｂ）を備えた基体（８ａ）を有し、前記屈曲領域の２つの脚部が最大で９０°の角度を形成する、請求項１から１０のいずれか１項に記載の車両シート。
【請求項１２】
前記多機能部品（８）が前記屈曲領域（８ｂ）においてブリッジ（８ｇ）を形成し、前記ブリッジが前記レバー（５）の前記作動端（６）への湾曲遷移領域にまたがる、請求項１から１１のいずれか１項に記載の車両シート。
【請求項１３】
接触領域において前記レバー（５）の前記作動端（６）への湾曲遷移領域の上側に又は前記ブリッジ（８ｇ）の下側に減衰要素（９）が配置される、請求項１２に記載の車両シート。
【発明の詳細な説明】
【技術分野】
【０００１】
本発明は、前後方向に調節可能な車両シートであって、シートに固定された第１シートレールと、前記第１レールをガイドし且つ車両構造体に固定された第２シートレールと、第１シートレールを第２レール内に固定することによってシートの前後位置を解除可能にロックするロック装置と、旋回軸を中心に旋回させることができ且つロック装置と相互作用する２つの作動端を有するレバーとを両側部に有する車両シートに関するものである。
【背景技術】
【０００２】
特許文献１には、シートレール対の上方に配置された作動端と共に、旋回軸を中心に旋回させることができるレバーを用いて、シートレールロック機構をロック解除することができる、前後方向に調節可能な車両シートが開示されている。これらの作動端は、車両シートの下のシート前側に配置されたハンドルを持ち上げることによって起こるレバーの作動中に、旋回軸を中心とする上からの旋回運動の結果として、シートレールロック機構の対応する作動要素に作用する。
【０００３】
作動端の踏み付けの結果としてシートレールロック機構が意図せずに解除されるのを防ぐために、距離を置いて作動端にまたがり、上からの荷重からそれを保護するステップガードを設けることが知られている。
【先行技術文献】
【特許文献】
【０００４】
【特許文献１】独国特許発明第１０２００６０２１８８４号明細書
【発明の概要】
【発明が解決しようとする課題】
【０００５】
本発明が基づく目的は、冒頭に述べたタイプの車両シートを改善することである。
【課題を解決するための手段】
【０００６】
この目的は、本発明に従って、請求項１の特徴を有する前後方向に調節可能な車両シートによって達成される。個別に又は互いに組み合わせて使用することができる有利な改良点が、従属請求項の主題を形成する。
【０００７】
本発明によれば、前後方向に調節可能な車両シートは、シートに固定された第１シートレールと、前記第１シートレールをガイドし且つ車両構造体に固定された第２シートレールと、第１シートレールを第２シートレール内に固定することによってシートの前後位置を解除可能にロックするロック装置と、旋回軸を中心に旋回させることができ且つロック装置と相互作用する２つの作動端を有するレバーとを両側部に有し、作動端の少なくとも一方に多機能部品の部分領域がまたがり、多機能部品が、ステップガードを形成すると共に上方への作動端の動きを制限し、その結果レバーの誤操作に対する安全装置を形成する。
【０００８】
ステップガードが作動端を保護すると共に作動端の上方への動きを制限し、その結果レバーの誤操作に対する安全装置を形成することによって、車両シートの使用者の安全性を高めることができる。特に乗車容易機能を有する３ドア車両では、作動端の上方向への移動制限は、例えば、独国特許発明第１０２００９０２２９７９号明細書又は独国特許発明第１０２００５０４４７７８号明細書に開示されるような、記憶装置用の作動装置が損傷を受けないために適切である。もちろん、ステップガードは５ドア車などの他の車両で使用することもできる。
【０００９】
ステップガードの重量は、部分領域が屈曲領域によって形成される結果として、低く抑えることができる。
【００１０】
特に好ましくは、レバーは、多機能部品によって形成されている軸受ブッシュ内に旋回可能に装着されるか、又は前記ブッシュ内に直接収容される。その結果、部品の数を減らすことができ、全体の重量を低減することができる。また、必要とされる第１シートレールへの接続がより少なくなる。
【００１１】
特に好ましくは、横管がレバーの一部であり、横管の端部が軸受ブッシュ内に収納される。
【００１２】
軸受ブッシュが多機能部品とは別体に形成され、多機能部品に形成されたベアリング開口部内に確実に収容される場合、ブッシュは、好ましくは、車両シートの中央縦断面側からベアリング開口部に導入される。この設置方向は、それが正しく設置され且つ軸受開口部内に保持されることを保証する。
【００１３】
多機能部品は、好ましくは実質的にｚ方向に延びる基体を有し、基体は、前記屈曲領域と、屈曲領域から延びる２つの領域とを有し、２つの領域は、車両シート前後方向に延び、特に好ましくは互いに整列される。
【００１４】
多機能部品は、有利には横方向に延びる前端部領域を有する基体を有する。同様に、多機能部品は、有利には横方向に延びる後端部領域を有する基体を有する。
【００１５】
前端部領域及び／又は後端部領域は、有利には、第１シートレールの平坦面の外側端の所まで延びている。
【００１６】
多機能部品は、好ましくは、基体から垂直にｘｙ平面内に延びる下側横方向ラグを備えた基体を有する。特に好ましくは、屈曲領域の一部に中断部が設けられ、中断部が基体内に延び、レバーの作動端がこの中断部を通って突出し、中断部によって形成される基体の側面が上向きの作動端の動きを制限する止め具を形成する。中断部は、好ましくは基体内に、特にその中心の所まで延びる。
【００１７】
多機能部品は、好ましくは上側横方向ラグを備えた基体を有し、上側横方向ラグは、基体から垂直にｘｙ平面内に延びる。このラグは、一種の段差面を形成し、レバーの作動領域と従ってシートレールロック機構が意図せず解放されるのを防ぐ。
【００１８】
屈曲領域の２つの脚部は、好ましくはそれらの間に最大で９０°の角度を形成する。角度は、特に好ましくは約６０度である。
【００１９】
屈曲領域の角領域は、特に好ましくは第１シートレールを越えて横方向に突出する。
【００２０】
詳細には、屈曲領域は、平面図において、中央領域にあるレバーの作動端への湾曲遷移領域を横切る。これにより比較的小さいねじり力がレバーに作用することが可能になり、レバーアームは、レバーの先端を下方に押す力に対抗するために可能な限り大きい。
【００２１】
多機能部品は、有利には屈曲領域にブリッジを形成し、ブリッジはレバーの作動端への湾曲遷移領域にまたがる。ここで、ブリッジは、有利にはｘｙ平面に延在する平坦面を有する。
【００２２】
減衰要素が、特に有利には、接触領域においてレバーの作動端への湾曲遷移領域の上側に及び／又はブリッジの下側に配置される。
【００２３】
図面に示される有利な例示的実施形態を参照しながら、本発明を以下でより詳細に説明する。しかしながら、本発明は、この例示的実施形態に限定されるものではない。
【図面の簡単な説明】
【００２４】
【図１】ロックされたシートレール対に取り付けられた多機能部品の斜視図を示す。
【図２】図１の詳細図を示す。
【図３】図１の平面図を示す。
【図４】概略的に図示された車両シートを示す。
【発明を実施するための形態】
【００２５】
３ドア自動車のフロントシート列の車両シート１が例示的実施形態で設けられ、車両シート１の自動車内への配置及びその通常の進行方向が以下で用いられる方向の特定を定める。シート前後（縦）方向ｘは、進行方向に概ね平行に延びる。また、横方向は以下でｙ方向とし、垂直方向はｚ方向とする。
【００２６】
車両シート１は、両側部の各々に、シートに固定された第１シートレール２と、車両構造体に固定された第２シートレール３とを有し、これらのレールは、その開示が本明細書に明示的に組み込まれている独国特許発明第１０２００６０２１８８４号明細書に従って、２つのシートレール対を形成する。シートレール対は各々、さらに詳細には説明しないロック装置４を有し、ロック装置４は、本例においては前述の独国特許発明第１０２００６０２１８８４号明細書又は独国特許出願公開第１００５０９５９号明細書に従って形成されるが、原則として別のデザインを有することができる。
【００２７】
シートを前後方向に調節する目的で、ロック装置４を手でロック解除するために、ハンドルを備えたレバー５が設けられている。レバー５は、例えば、独国特許発明第１０２００６０２１８８４号明細書又はその後に公開された独国特許出願公開第１０２０１００１４３９４号明細書に記載されるように設計することができる。ここで、レバー５は、２つのシートレール対より上の領域に取り付けられた横管によって形成される旋回軸Ｓと、２つの折り曲げて拡大された作動端６とを有し、作動端６は、第１シートレール２を越えて突出し且つロック装置４と相互作用し、レバー５を作動させると、シートレールロック機構を解除する。ここで、本例では、ハンドルは、図面に示すように、２つの作動端６の一方で連続的に形成される。
【００２８】
しかしながら、シートレール２，３のロックはまた、ロックを解除するために、旋回軸Ｓを中心に旋回させることができ且つ少なくとも部分領域においてシートレール対より上に延びる少なくとも１つの作動端を有するレバーが設けられる、別の方法で行うことができる。
【００２９】
ハンドルに接続される部分の配置は別として、旋回軸Ｓを形成する横管へのレバー５のシートレール対・レバー配置全体の構成は、車両シート１の車両シート中央縦断面ｘ−ｙに対して鏡面対称をなすので、片側のみを以下でより詳細に説明する。
【００３０】
横管は、両側においてその端部領域が、第１シートレール２上に配置された曲げ加工板金部品に収容される軸受ブッシュ７内に装着されており、曲げ加工板金部品を、以下で多機能部品８と称する。材料の適切な設計及び組み合わせを前提として、軸受機能もまた多機能部品８で直接行うことができる。
【００３１】
本発明の本質を形成する多機能部品８を以下でより詳細に説明する。多機能部品８は、その２つの脚部が９０°よりやや小さい角度を形成するＶ字状屈曲領域８ｂと、前後方向に延びる２つの整列された領域８ｃ，８ｄと、横方向ｙに延びる２つの端領域部８ｅ，８ｆとを備えた、実質的にｚ方向ｚに延びる基体８ａを有し、端部領域８ｅ，８ｆは、外側へ、すなわちシートの外側の方向に延びる。屈曲領域８ｂは、その角領域が、第１シートレールを超えて外側に向かって横方向に突出する。
【００３２】
後端部領域８ｆには、シート前後方向ｘと反対に折り曲げられ且つ開口部を有するラグ８ｈが設けられ、開口部にはネジが差し込まれ、第１シートレール２に接続されている。多機能部品８の前方領域８ｃには、多機能部品８の金属薄板（シートメタル）からベアリング開口部８ｉが打ち抜かれ、今は軸受ブッシュ７が確実に収容されている。ここで、軸受ブッシュ７は、ベアリング開口部８ｉの中に横管側から挿入される。
【００３３】
下側横方向ラグ８ｊが領域８ｃ内にベアリング開口部８ｉに隣接して設けられ、ラグは９０°曲げられ、従ってｘｙ平面内に延在し、その結果、第１シートレール２との大面積軸受接触をもたらす。下側横方向ラグ８ｊは屈曲領域８ｂの形状に従い、前記ラグは第１シートレール２を越えて横方向に突出する領域で中断され、中断部はｚ方向において基体８ａのほぼ中央まで延び、（図１参照）、後端部領域８ｆに隣接する領域８ｄに達する。ここで、下側横方向ラグ８ｊの（基体８ａに垂直な）幅は、屈曲領域８ｂよりも領域８ｃ，８ｄにおいてかなり大きい。下側横方向ラグ部８ｊは、本例では、同様に、第２シートレールに固定するために機能する開口部を有し、この開口部及び前端部領域８ｅはそれらの間に軸受ブッシュ７をほぼ中央に収容する。
【００３４】
上側横方向ラグ８ｋが屈曲領域８ｂにさらに設けられ、このラグの幅はこの領域にある下側横方向ラグ８ｊに対応するが、このラグは連続的に形成される（図３参照）。下部に設けられた中断部により、上側横方向ラグ８ｋは、基体８ａの残りの部分と共にブリッジ８ｇを形成し、ブリッジの上側は、本例では湾曲していないが、全長にわたってｘｙ平面に延在するように配置される。
【００３５】
補強の目的を有するスロット状のビード８ｌが、前方領域８ｃと屈曲領域８ｂとの間、及びまた後方領域８ｄと屈曲領域８ｂとの間の遷移領域に、いずれの場合にも基体８ａの中央に設けられる。また、製造に関連する理由で、応力緩和ノッチ８ｍが、上側横方向ラグ８ｋの前端及び後端に設けられる。
【００３６】
多機能部品８は、横管のための軸受機能に加えて、さらに２つの機能を有する。従って、屈曲領域８ｂはレバー５の作動端６を保護し、横管の下部を通って案内されるハンドルの延長部分として示される側にあるこの作動端は、外側に曲げられ、そのオフセットの後、多機能部品の屈曲領域８ｂの下に直接延び、第１シートレール２の外側で終端する。レバー５の作動端６が屈曲領域８ｂの下に延びるということは、それが保護されること、すなわち、屈曲領域８ｂが作動端６のためのステップガードを形成することを意味する。
【００３７】
また、屈曲領域８ｂは、下側ラグ８ｊの中断部の領域に止め具を形成し、この止め具は作動端６の上方への移動を制限し、すなわち、ハンドルは任意の所望の程度まで下方に押されることができず、動きが多機能部品８によって制限され、その結果、レバー５は誤操作から保護される。ここで、上方向への移動制限のために、作動端６への湾曲遷移領域が、多機能部品８の屈曲領域８ｂの突出した角領域に衝突する（図３参照）。発生し得る衝撃を減衰させるために、減衰要素９、例えば、ゴム緩衝器又は発泡体が、作動端６への遷移領域でレバー５に取り付けられる。原則として、減衰要素は、ブリッジ８ｇの下側に配置することができる。発生し得る比較的大きな力を支持することができるようにするために、第１シートレール２の平坦面の端まで到達する２つの端部領域８ｅ，８ｆが設けられ（図３参照）、その結果、全レール幅が使用される。
【００３８】
多機能部品８を曲げ加工板金部品として説明したが、多機能部品８を製造する別の方法、特に射出成形も可能である。
【００３９】
また、本例では、多機能部品８は、２つのネジによって第１シートレール２に取り付けられる。しかしながら、これもまた、溶接によって、又は他の何らかの適切な方法で行うことができる。
【００４０】
上記明細書、特許請求の範囲及び図面で開示された特徴は、本発明をその様々な構成で実施するために、個々に及び組み合わせでの両方において重要であり得る。
【符号の説明】
【００４１】
１  車両シート
２  第１シートレール
３  第２シートレール
４  ロック装置
５  レバー
６  作動端
７  軸受ブッシュ
８  多機能部品
８ａ  基体
８ｂ  屈曲領域
８ｃ  領域
８ｄ  領域
８ｅ  前端部領域
８ｆ  後端部領域
８ｇ  ブリッジ
８ｈ  ラグ
８ｉ  軸受開口部
８ｊ  下側横方向ラグ
８ｋ  上側横方向ラグ
８ｌ  スロット状ビード
８ｍ  応力緩和ノッチ
９  減衰要素
Ｓ  旋回軸
ｘ  シート前後方向
ｙ  横方向
ｚ  ロック方向
【図１】
0005771740.tif 000002
【図２】
0005771740.tif 000003
【図３】
0005771740.tif 000004
【図４】
0005771740.tif 000005